(57)【要約】【課題】  ユーザに対する利便性を考慮し、より効果的に接続された機器の名称等を表示することが可能な接続機器表示名編集装置及び接続機器表示名編集方法を提供することを主たる目的とする。【解決手段】  ＤＶＤレコーダ等の外部機器が接続される接続手段と、当該外部機器の表示名を出力する機器名表示手段と、当該外部機器の表示名を文字入力によって編集することをユーザに許可する機器名編集手段を備える。例えば、接続機器表示名編集装置は、機器表示名選択メニューにて「フリー入力（編集）」の項目を有している。このため、選択肢以外の機器の表示名を自由に設定することが出来、ユーザの利便性が向上する。【選択図】      図１
2010103677.tif 000002
【特許請求の範囲】
【請求項１】
機器が接続される接続手段と、
前記機器の表示名を出力する機器名表示手段と、
前記機器の表示名を文字入力によって編集することをユーザに許可する機器名編集手段とを備えることを特徴とする接続機器表示名編集装置。
【請求項２】
少なくとも一度接続された機器の名称を含む機器情報を記憶する記憶手段を更に備え、
前記機器名編集手段は、前記機器情報を用いて前記機器の表示名を編集する編集手段を含むことを特徴とする請求項１に記載の接続機器表示名編集装置。
【請求項３】
前記少なくとも一度接続された機器は、ＨＤＭＩ規格に基づいて接続された機器であり、
前記機器から前記機器情報をＣＥＣ規格に基づいて受信する手段を備えることを特徴とする請求項２に記載の機器表示名編集装置。
【請求項４】
前記表示名は、少なくとも、外部入力の切換動作に伴い表示される機器の名であることを特徴とする請求項１乃至請求項３のいずれかに記載の接続機器表示名編集装置。
【請求項５】
前記機器名表示手段は、外部入力の切換動作に伴って前記表示名を出力することを特徴とする請求項１乃至請求項３のいずれかに記載の接続機器表示名編集装置。
【請求項６】
放送波を受信するチューナー手段を更に備えることを特徴とする請求項１乃至請求項３のいずれかに記載の接続機器表示名編集装置。
【請求項７】
外部入力の切換をした際に表示される接続機器の名を文字入力によって編集するステップと、
外部入力の切換を行うステップと、
前記外部入力の切換に伴い、前記編集された名を表示するステップとを有することを特徴とする接続機器表示名編集方法。
【発明の詳細な説明】
【技術分野】
【０００１】
この発明は、ＤＶＤレコーダやＰＣやＡＶアンプ等の接続機器の名称や種類等の表示名を制御する接続機器表示名編集装置及び接続機器表示名編集方法に関する。
【背景技術】
【０００２】
近年では、ＨＤＭＩ(High Definition Multimedia Interface)を搭載したデジタル機器、例えばＴＶ、ＤＶＤ  プレーヤー、及びＤＶＤレコーダーが普及している。ＨＤＭＩは、映像・音声のデジタルデータを一つのケーブルを介して非圧縮で転送することができる。また、ＨＤＭＩ−ＣＥＣ（Consumer Electronics Control）準拠と謳った機器同士、例えばＴＶとＤＶＤレコーダーとをＨＤＭＩを介して接続すると、ＨＤＭＩ−ＣＥＣ機能により、ＴＶのリモートコントローラを使用して、ＴＶに接続されたＤＶＤレコーダーを操作することができる。
【０００３】
例えば、ＨＤＭＩ対応のＴＶは、複数のＨＤＭＩ端子を備えており、複数の機器と同時に接続することができる。仮に、ＨＤＭＩ対応のＴＶが、ＨＤＭＩ１、ＨＤＭＩ２、及びＨＤＭＩ３の３つのＨＤＭＩ端子を備えており、これら３つのＨＤＭＩ端子を介して、ＴＶとＤＶＤレコーダー１、ＤＶＤレコーダー２、ＤＶＤレコーダー３の３台の外部機器が接続されているとする。
【０００４】
この場合、ＴＶの画面には、例えばＨＤＭＩ１、ＨＤＭＩ２が表示され、ユーザによるリモートコントローラ操作により、ＴＶに表示されたＨＤＭＩ１が選択されると、ＨＤＭＩ１に対応するＨＤＭＩ端子に接続されたＤＶＤレコーダー１からの出力表示にＴＶ画面が切り替えられる。同様に、ユーザによるリモートコントローラ操作により、ＴＶに表示されたＨＤＭＩ２が選択されると、ＨＤＭＩ２に対応するＨＤＭＩ端子に接続されたＤＶＤレコーダー２からの出力表示にＴＶ画面が切り替えられる。
【０００５】
例えば、特許文献１には、複数種類の入力端子のうちいずれかの入力端子を選択可能あるいは選択不能とするかをユーザにより設定することとした映像表示装置が開示されている。かかる装置によれば、入力端子を選択する動作を効率よく行うことが出来るとされている。
【特許文献１】特開２００８−３５１９０号公報
【発明の開示】
【発明が解決しようとする課題】
【０００６】
上記特許文献１には、入力端子を選択する動作については開示されている。しかしながら、接続された機器の名称のＴＶ等への表示の仕方についてはこれまで十分な検討が成されていなかった。
【０００７】
そこで、本発明は、ユーザに対する利便性を考慮し、より効果的に接続された機器の名称等を表示することが可能な接続機器表示名編集装置及び接続機器表示名編集方法を提供することを主たる目的とする。
【課題を解決するための手段】
【０００８】
本発明は上記課題に鑑みてなされたものであり、その主な特徴は以下のとおりでる。すなわち、本発明の接続機器表示名編集装置は、機器が接続される接続手段と、前記機器の表示名を出力する機器名表示手段と、前記機器の表示名を文字入力によって編集することをユーザに許可する機器名編集手段とを備えることを特徴とする。
【０００９】
また、本発明の接続機器表示名編集方法は、外部入力の切換をした際に表示される接続機器の名を文字入力によって編集するステップと、外部入力の切換を行うステップと、前記外部入力の切換に伴い、前記編集された名を表示するステップとを有することを特徴とする。
【発明の効果】
【００１０】
本発明では、接続機器の表示名を編集することをユーザに許可する機器表示名編集手段を備える。このため、本発明によれば、ユーザに対する利便性を向上させ、より効果的に接続機器の名称等を表示することが出来る。
【発明を実施するための最良の形態】
【００１１】
図１は、この発明の一実施形態に係るテレビジョン放送受信装置１００の概略構成を示す図である。以下、図１を参照し、テレビジョン放送受信装置１００について説明する。
【００１２】
図１に示すように、地上波やＢＳ等の放送波（放送信号）は、アンテナ１０１を介して放送受信モジュール１０２に入力される。放送受信モジュール１０２はいわゆるチューナーを含んでおり、放送受信モジュール１０２では放送信号に含まれる複数チャンネルの信号の中から所望のチャンネルの放送信号が選局される。放送受信モジュール１０２で選局された放送信号は、信号処理モジュール１０３に供給される
【００１３】
信号処理モジュール１０３では、復調処理や複合処理等が成される。そして、映像信号及び音声信号に対して、選択的に所定のデジタル信号処理を施してから後段の映像・音声出力処理モジュール１０４に出力している。
【００１４】
映像・音声出力処理モジュール１０４では、信号処理モジュール１０３から供給されるデジタルの映像信号にＯＳＤ（On Screen Display）発生モジュール１０５で生成されるＯＳＤ信号を重畳して出力する機能を有する。なお、映像・音声出力処理モジュール１０４は、信号処理モジュール１０３から供給される出力映像信号と、ＯＳＤ発生モジュール１０５から供給されるＯＳＤ信号とを選択的に出力することや、両信号をそれぞれ画面の半分を構成するように組み合わせて出力することもできる。
【００１５】
また、映像・音声出力処理モジュール１０４は、液晶表示パネルやプラズマパネル等を備えた映像表示部１０６に対して映像信号を出力して映像表示させる。
また、映像・音声出力処理モジュール１０４は、入力された音声信号を、スピーカ１０７で再生可能なフォーマットのアナログ音声信号に変換した後、スピーカ１０７に出力して音声再生させる。
【００１６】
ここで、このテレビジョン放送受信装置１００は、上記した各種の受信動作を含むその全ての動作を制御モジュール１０８によって統括的に制御されている。
この制御部１０８は、ＣＰＵ（Central Processing Unit）等の多数のＩＣを内蔵している。また、テレビジョン放送受信装置１００は、制御モジュール１０８が実行する制御プログラムを格納したＲＯＭや、ＣＰＵに作業エリアを提供するＲＡＭや、各種の設定情報及び制御情報等が格納される不揮発性メモリ等を含む記憶モジュール１０９を備えている。なお、後述するアイコン１２０や外部機器の表示名等の情報は記憶モジュール１０９に記憶される。
【００１７】
また、テレビジョン放送受信装置１００は、リモートコントローラ１１０及びコード受信モジュール１１１を備えている。リモートコントローラ１１０からの操作信号（例えば、赤外線信号）は、コード受信モジュール１１１で受信され、制御モジュール１０８によりデコードされる。例えば、コード受信モジュール１１１により所望チャンネルの選局又は所望の外部入力切換の操作信号が受信されると、制御モジュール１０８は受信した操作信号に基づき、信号処理モジュール１０３等の各部を制御し、所望のチャンネルの映像表示や音声再生、あるいは外部入力の切換えが成される。
【００１８】
より具体的には例えば、ユーザがリモートコントローラ１１０の入力切り替えボタンを押下すると、コード受信モジュール１１１は、入力切り替え信号（入力切り替えを指示するコード）を受信する。そうすると、外部入力を切り替えるための操作メニューが表示される。当該操作メニューが表示された状態において、ユーザは、リモートコントローラの十字キーや所定ボタン等を操作することによって、操作メニューに表示されている入力ソース（ＤＴＶ，ＡＴＶ，ＨＤＭＩ１，ＨＤＭＩ２，ＨＤＭＩ３など）の内の一つを選択することができる。なお、外部入力の切り替え（選択）は、リモートコントローラのボタンの内、上下キーのような方向キーを用いて行うこともできる。
【００１９】
また、テレビジョン放送受信装置１００は、ＨＤＭＩ接続モジュール１１２を備えている。従って、テレビジョン放送受信装置１００は、ＨＤＭＩ端子を備える複数の機器（例えば、ＤＶＤレコーダ、ＡＶアンプなど）とＨＤＭＩ接続モジュール１１２を介して接続することができる。図１では、ＨＤＭＩ接続モジュール１０１を介してＨＤＭＩ−ＣＥＣ機器１１３と接続されている。制御モジュール１０８は、ＨＤＭＩ接続モジュール１１２介して、ＨＤＭＩ−ＣＥＣ機器１１３とＣＥＣ規格に基づいて双方向通信することができる。つまり、テレビジョン放送受信装置１００からリモートコントローラ１１０を用いるなどしてＨＤＭＩ−ＣＥＣ機器１１３を制御することができる。例えば、ＨＤＭＩ−ＣＥＣ機器１１３がＤＶＤレコーダであるとし、リモートコントローラ１１０からＤＶＤレコーダに対する制御信号（例えば再生・停止・録画等の信号）を受信すると、ＨＤＭＩ通信ケーブル等を介して再生や停止等を指示する制御信号がＤＶＤレコーダに送信される。そして、ＤＶＤレコーダの再生や停止等を制御することが出来る。
【００２０】
また、テレビジョン放送受信装置１００は、ＵＳＢ端子１１４を備えている。従って、テレビジョン放送受信装置１００は、ＵＳＢ端子を備える機器（例えば、外付けのＨＤＤなど）とＵＳＢ端子１１４を介して接続することができる。なお、図示はしないが、テレビジョン放送受信装置１００はＨＤＭＩ端子やＵＳＢ端子以外の外部入力端子（コンポジットやコンポーネントなど）を備え、当該外部入力端子を介して複数の外部機器と接続することも可能である。
【００２１】
なお、ＨＤＭＩ接続モジュール１１２やＵＳＢ端子１１４を介して通信ケーブルなどで外部機器を物理的に接続してもよいし、ワイヤレスで無線通信により接続することも可能である。また、ＨＤＭＩやＵＳＢに関わらず、外部機器が接続されるインタフェースとしては、映像と音声の両者を所定のケーブルでまとめて送信できることが好ましい。また、本実施形態では、ＨＤＭＩやＵＳＢ等について説明するが、他の通信規格であってもよい。
【００２２】
次に、本実施形態に係るテレビジョン放送受信装置１００における外部機器の名称等の表示について説明する。図２は、外部入力を切り換えた際、あるいはいわゆる「画面表示ボタン」を押下げする等してアイコンを表示させた際等における映像表示部１０６の表示例を示している。
【００２３】
すなわち、リモートコントローラ１１０を操作する等して、ＨＤＭＩ１が外部入力として選択されると、制御モジュール１０８は、ＨＤＭＩ１の入力端子に接続された機器（ここでは、ＨＤＭＩ−ＣＥＣ機器１１３とする）の映像信号・音声信号が映像・音声出力処理モジュール１０４から出力されるように、信号処理モジュール１０３等を制御する。そして、映像表示部１０６には、ＨＤＭＩ−ＣＥＣ機器１１３から出力される映像が表示されるとともに、画面右上にアイコン１２０が表示される。
【００２４】
当該アイコン１２０には、外部入力（入力端子）の名称（図２ではＨＤＭＩ１）と、当該外部入力に接続された機器を示す名称（図２では、ＤＶＤ）が含まれている。かかる構成によれば、外部入力の切換を行った際にアイコン１２０を参照することで、ユーザはＨＤＭＩ１に接続された機器に映像が切り替わったこと、及び当該機器の種類（図２では、ＤＶＤレコーダ）であることを認識することが出来る。また、アイコン１２０には、文字に限らず図形（例えばロゴマーク）が含まれていても構わない。
【００２５】
本実施形態では、図２で示したような、入力切換がなされた際等に表示されるアイコン１２０に含まれる内容を複数の選択肢の中から選んだり、文字入力によって変更することができる構成となっている。この機器の表示名の変更の仕方について図３を参照しながら説明する。
【００２６】
まず、図３に示すように、外部入力の名称１２１ａと、当該外部入力に切り換えられた際等に表示される機器名称（表示名）１２１ｂとが対応付けて表示される外部入力表示設定メニュー１２２を映像表示部１０６に表示する。具体的には例えば、リモートコントローラ１１０で「外部入力設定」のメニューの中から「外部入力表示設定」のメニューを選択する操作を行うことで、外部入力表示設定メニュー１２２が表示される。設定する外部入力は、上下カーソル操作等で選択でき、選択された外部入力（図３ではＨＤＭＩ１）がハイライトされる。
【００２７】
次に、表示名を変更する。具体的には、図３で設定する外部入力としてＨＤＭＩ１を選択し、決定キーを押すと、図４に示すように機器表示名選択メニュー１２３が表示される。本実施形態に係る機器表示名選択メニュー１２３では、図４に示すように、「レコーダー」、「ＤＶＤ」、「ＶＴＲ」、「ＣＡＴＶ」、「ゲーム」、「チューナー」、「ＰＣ（パソコン）」、「ムービーカメラ」、「初期設定に戻す」「表示しない」等の複数の選択項目が含まれている。例えば、「ＤＶＤ」を選択して決定した場合には、図２で示したようなアイコン１２０が表示されることとなる。
【００２８】
本実施形態では、機器表示名選択メニュー１２３に、「フリー入力（編集）」の項目１２４が含まれていることが特徴である。「フリー入力」を選択して決定操作を行った場合、ユーザは、表示名を自由に編集することが出来る。具体的には例えば、図４において「フリー入力（編集）」の項目１２４を選択してリモートコントローラ１１０の決定キーを押すと、図５に示すように、フリー入力画面１２５が表示される。
【００２９】
本実施形態では、図５に示すように、リモートコントローラ１１０に含まれるボタン（１〜１２やカーソル移動）操作によって文字入力が出来るように、制御モジュール１０８が構成されている。すなわち、図示はしないが、テレビジョン放送受信装置１００には文字入力モジュールを備えているということも可能である。例えば、リモートコントローラ１１０のボタン１を一回押し、右カーソル操作し、ボタン１を二回押すと、「あい」と入力される。なお、入力モードとしては、「漢字変換モード」「全角カナモード」「全角英字モード」「半角英字モード」「全角数字モード」「半角数字モード」「全角記号モード」「半角記号モード」など、携帯電話やＰＣで用いられている公知の文字入力モードを採用することが出来る。なお、所定文字数以上は表示名として編集出来ないように制御モジュール１０８が構成されていてもよい。すなわち、フリー入力された名が制限以上の文字数であればエラーとなるようにし、再度フリー入力を促すように構成することもできる。
【００３０】
ＨＤＭＩ１に対して「ＸＸＸＸＸＸ」と文字入力し、決定動作を行うと、入力された表示名のデータは記憶モジュール１０９に記憶される。そして、図６に示すように、入力した名が機器表示名選択メニュー１２２の一つの項目１２６が「ＸＸＸＸＸＸ」となる。かかる画面上にて、ユーザが「ＸＸＸＸＸＸ」を選択して決定動作を行うと、図７に示すように、外部入力表示設定メニュー１２２に上記編集結果が反映される。そして、外部入力切換時や画面表示の操作を行った際には、映像表示部１０６には図８に示すような、フリー入力の内容が反映されたアイコン１３０が表示される。
【００３１】
なお、図６にて、ＨＤＭＩ１に対して「表示しない」を選択して決定動作をした場合には、例えば図９に示すように、外部入力表示設定メニュー１２２のＨＤＭＩ１の設定に対して「表示しない」旨の表示がなされる。この場合、外部入力切換時や画面表示の操作を行った際には、映像表示部１０６にアイコンは示されるが、ＤＶＤ等の機器名は表示されない。
【００３２】
以上説明したように、第１の実施形態では、機器表示名選択メニューにて「フリー入力（編集）」の項目を有している。このため、選択肢以外の機器の表示名を自由に設定することが出来、ユーザの利便性が向上する。
【００３３】
次に、本発明の第２の実施形態について説明する。なお、第１の実施形態と同様の構成については説明を省略するか簡略する。第２の実施形態では、過去にユーザによって登録された表示名や、HDMI-CECやi-link等の通信で取得した機器名等の機器情報を、「フリー入力（編集）」の際に利用することを主たる特徴とする。
【００３４】
例えば、フリー入力によって過去に登録された表示名が記憶モジュール１０９に記録されていた場合、図４で説明した「フリー入力」の項目１２４を選択して決定キーを押すと、図１０に示すように、過去に登録された表示名を利用するか否かの選択メニュー１３１が表示されるよう制御モジュール１０８によって制御される。
【００３５】
「はい」を選択した場合には、過去に登録された接続機器の表示名の一覧１３２が、例えば図１１に示すように表示される。ここでいずれかの表示名を選択すると、当該表示名が入力された状態で図５のフリー入力画面に遷移する。そして、そのままで良いと判断すれば決定操作を行い、更に編集したい場合には編集後に決定操作を行う。「いいえ」を選択した場合には、図５のフリー入力画面（入力欄は空の状態）に遷移する。
【００３６】
また、HDMI-CEC機器やiLink機器等の機器をTVに接続し、自動的に接続されている機器の名称を含む機器情報（メーカー名、モデル名、製造年月日等）をデジタル通信で取得することも可能である。iLinkは、HDMIと同様に、映像、音声、制御信号を1本のケーブルで高速かつ双方向に送ることのできるデジタルインターフェースである。なお、HDMI-CEC機器が接続された場合、当該機器に更に接続されているＨＤＭＩ−ＣＥＣ機器の名称を取得することも可能である。このように、この場合のテレビジョン放送受信装置１００は、外部機器と所定の通信を行うことで、当該外部機器から送られる機器情報を取得するための機器情報自動取得手段を備えている。機器情報の取得の具体的方法は様々あり、例えば、外部機器が接続手段（例えば、図１ではＨＤＭＩ接続モジュールやＵＳＢ端子１１４）に接続されたことを制御モジュール１０８が自動的に検知し、これをトリガーとして外部機器から機器情報を取得するためのコマンドを外部機器に対して送信することで、機器名称等の機器情報を取得することができる。なお、機器情報は名称のデータに限られず、図形データ（例えば当該機器を示すアイコン、ロゴ）等でもよい。なお、本実施形態ではＣＥＣ規格に基づいて機器情報を受信しているが、他の通信規格であっても構わない。
【００３７】
このような機器情報自動取得手段を備える場合、取得した情報を記憶モジュール１０９に記録し、図１１で説明したような、過去に登録された機器の表示名の一覧１３２に追加することが好ましい。例えば、ＡＶアンプが接続され、更にＡＶアンプの先に複数のHDMI-CEC機器が接続されていた場合、AVアンプ名称と当該複数のHDMI-CEC機器の名称の組み合わせ分を登録してもよい。具体的には、AVアンプ（名称：AV1)と、当該ＡＶアンプに２つのHDMI-CEC機器(DVD1,DVD2)が接続されていたとすると、機器名として、ＡＶ１，ＤＶＤ１，ＤＶＤ２，ＡＶ１  ＤＶＤ１，ＡＶ１  ＤＶＤ２，ＡＶ１  ＤＶＤ１  ＤＶＤ２の計６種類の名称が同時に登録しても良い。かかる構成によれば、ユーザが編集し易く、入力する必要が無く、削除だけで編集することも可能である。
【００３８】
以上説明したように、第２の実施形態では、過去に登録された表示名や、HDMI-CECやi-link等の通信で取得した機器名等の機器情報を、「フリー入力（編集）」の際に利用している。上記実施形態では、取得した機器情報を「フリー入力」の編集メニューに予め入力しておく。このため、ユーザは編集作業が行い易く、第１の実施形態で得られる効果に加えて、更にユーザの利便性が向上する。
【００３９】
次に、上記第１及び第２の実施形態に係るテレビジョン放送受信装置１００のフリー入力の動作の概略について、図１２のフローチャートを参照して説明する。
まず、過去にフリー入力したことが無い等、機器名等の機器情報を記録していない場合（ステップ１００１のＮｏ)、ユーザー操作に応じて、図３で説明したように外部入力表示設定メニュー１２２が表示される（ステップ１００２）。
【００４０】
次に、設定する外部入力を選択すると、図４に示すように機器表示名選択メニュー１２３が表示される。次に、機器表示名選択メニュー１２３から指定された選択肢を選んだ場合（ステップ１００３）、図２で示したようなアイコンが当該選択項目に応じて表示されることとなる。また、機器表示名選択メニュー１２３からフリー入力の選択肢を選んだ場合（ステップ１００４）、図５に示すようにフリー入力画面１２５が表示される（ステップ１００５）。
【００４１】
次に、文字入力し、決定動作を行うと（ステップ１００６）、入力された文字数が制限内か否かが判定される（ステップ１００７）。文字数が制限内で無ければ、再度フリー入力を実行する。文字数が制限内であれば、当該表示名のデータは記憶モジュール１０９に記憶され、図６に示すように、入力した名が機器表示名選択メニュー１２２の一つの項目に入力される。そして、機器表示名選択メニュー１２２にて、フリー入力を行った項目を選択して決定動作を行うと、外部入力表示設定メニュー１２２に編集結果が反映される。そして、外部入力切換時や画面表示の操作を行った際には、映像表示部１０６にはフリー入力した内容でアイコンが表示される。
【００４２】
また、過去にフリー入力したことがある場合や、所定の通信によって過去に機器情報を取得していた場合等、機器情報が記憶モジュール１０９に記録されている場合（ステップ１００１のＹｅｓ)、ユーザー操作に応じて、図３で説明したように外部入力表示設定メニュー１２２が表示される（ステップ１００８）。
【００４３】
次に、設定する外部入力を選択すると、図４に示すように機器表示名選択メニュー１２３が表示される。次に、機器表示名選択メニュー１２３からフリー入力の選択肢を選んだ場合、図１０に示すように、過去に登録された表示名を利用して編集するか否かの選択メニュー１３１が表示される（ステップ１００９）。
【００４４】
「はい」を選択した場合には、過去に登録された機器の表示名の一覧が、例えば図１１に示すように表示される。そして、いずれかの表示名を選択すると、当該表示名が入力された状態で図５のフリー入力画面に遷移する（ステップ１００５）。また、「いいえ」を選択した場合には、図５のフリー入力画面（入力欄は空の状態）に遷移する。
【００４５】
以上説明したように、第１及び第２の実施形態では、フリー入力（編集）によって外部機器の表示名を自由に編集することが出来る。このため、ユーザの利便性が向上する。
【００４６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。
【図面の簡単な説明】
【００４７】
【図１】本実施形態に係るテレビジョン放送受信装置の主要な構成を示す図である。
【図２】本実施形態に係るテレビジョン放送受信装置の外部機器の表示名を示す図である。
【図３】本実施形態に係る外部入力表示設定メニューを示す図である。
【図４】本実施形態に係る機器表示名選択メニューを示す図である。
【図５】本実施形態に係るフリー入力画面を示す図である。
【図６】本実施形態に係る機器表示名選択メニューを示す図である。
【図７】本実施形態に係る機器表示名選択メニューを示す図である。
【図８】本実施形態に係るテレビジョン放送受信装置の外部機器の表示名を示す図である。
【図９】本実施形態に係る機器表示名選択メニューを示す図である。
【図１０】本実施形態に係る、過去に登録された表示名を利用して編集するか否かの選択メニューを示す図である。
【図１１】本実施形態に係る過去に登録された機器の表示名の一覧を示す図である。
【図１２】本実施形態に係るテレビジョン放送受信装置のフリー入力の動作を示すフローチャート図である。
【符号の説明】
【００４８】
１００…テレビジョン放送受信装置、１０１…アンテナ、１０２…放送受信モジュール、１０３…信号処理モジュール、１０４…映像・音声出力処理モジュール、１０５…ＯＳＤ発生モジュール、１０６…映像表示部、１０７…スピーカ、１０８…制御モジュール、１０９…記憶モジュール、１１０…リモートコントローラ、１１１…受信モジュール、１１２…接続モジュール、１１３…ＨＤＭＩ−ＣＥＣ機器、１１４…ＵＳＢ端子、１２０…アイコン、１２１ａ…外部入力の名称、１２１ｂ…機器名称（表示名）、１２２…外部入力設定メニュー、１２３…機器名称選択メニュー、１２４…選択項目、１２５…フリー入力画面、１２６…項目、１３０…アイコン、１３１…選択メニュー、１３２…登録機器名一覧
【図１】
2010103677.tif 000003
【図２】
2010103677.tif 000004
【図３】
2010103677.tif 000005
【図４】
2010103677.tif 000006
【図５】
2010103677.tif 000007
【図６】
2010103677.tif 000008
【図７】
2010103677.tif 000009
【図８】
2010103677.tif 000010
【図９】
2010103677.tif 000011
【図１０】
2010103677.tif 000012
【図１１】
2010103677.tif 000013
【図１２】
2010103677.tif 000014
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
機器が接続される接続手段と、
少なくとも一度接続された前記機器の名称を含む機器情報を記憶する記憶手段と、
前記機器の表示名を出力する機器名表示手段と、
前記機器の表示名を、前記記憶手段に記憶されている前記機器の名称のリストを利用して編集することをユーザに許可する機器名編集手段とを備えることを特徴とする接続機器表示名編集装置。
【請求項２】
前記機器名編集手段は、
前記ユーザへ前記記憶手段に記憶されている前記機器の名称を利用するかどうかの選択を許可することを特徴とする請求項１に記載の接続機器表示名編集装置。
【請求項３】
前記機器名編集手段は、
前記ユーザが前記記憶手段に記憶されている前記機器の名称を利用する場合、前記記憶手段に記憶されている前記機器の名称を表示し、この表示された前記機器の名称を文字入力により編集することを許可し、
前記ユーザが前記記憶手段に記憶されている前記機器の名称を利用しない場合、前記記憶手段に記憶されている前記機器の名称を表示せずに、前記機器の表示名を文字入力により編集することを許可することを特徴とする請求項２に記載の接続機器表示名編集装置。
【請求項４】
前記少なくとも一度接続された機器は、ＨＤＭI規格に基づいて接続された機器であり、前記機器から前記機器情報をＣＥＣ規格に基づいて受信する手段を備えることを特徴とする請求項１に記載の接続機器表示名編集装置。
【請求項５】
前記表示名は、少なくとも、外部入力の切換動作に伴い表示される機器の名であることを特徴とする請求項１乃至請求項４のいずれかに記載の接続機器表示名編集装置。
【請求項６】
前記機器名表示手段は、外部入力の切換動作に伴って前記表示名を出力することを特徴とする請求項１乃至請求項４のいずれかに記載の接続機器表示名編集装置。
【請求項７】
放送波を受信するチューナー手段を更に備えることを特徴とする請求項１乃至請求項６のいずれかに記載の接続機器表示名編集装置。
【請求項８】
少なくとも一度接続された機器の名称を含む機器情報を記憶するステップと、
外部入力の切換をした際に表示される接続機器の名を、前記記憶した前記機器の名称のリストを利用して編集する編集するステップと、
外部入力の切換を行うステップと、
前記外部入力の切換に伴い、前記編集された名を表示するステップとを有することを特徴とする接続機器表示名編集方法。
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
機器が接続される接続手段と、
少なくとも一度接続された前記機器の名称を含む機器情報を複数記憶する記憶手段と、
前記機器の表示名を出力する機器名表示手段と、
前記機器の表示名を、前記記憶手段に記憶されている複数の前記機器の名称のリストを表示し、この表示されたリストに含まれる名称を選択的に利用して編集することをユーザに許可する機器名編集手段とを備えることを特徴とする接続機器表示名編集装置。
【請求項２】
前記機器名編集手段は、
前記ユーザへ前記記憶手段に記憶されている前記編集後の機器の名称を利用するかどうかの選択を許可することを特徴とする請求項１に記載の接続機器表示名編集装置。
【請求項３】
前記機器名編集手段は、
前記ユーザが前記記憶手段に記憶されている前記機器の名称を利用する場合、前記記憶手段に記憶されている複数の前記機器の名称を表示し、この表示された複数の前記機器の名称を文字入力により編集することを許可し、
前記ユーザが前記記憶手段に記憶されている前記機器の名称を利用しない場合、前記記憶手段に記憶されている複数の前記機器の名称を表示せずに、前記機器の表示名を文字入力により編集することを許可することを特徴とする請求項２に記載の接続機器表示名編集装置。
【請求項４】
前記少なくとも一度接続された機器は、ＨＤＭI規格に基づいて接続された機器であり、前記機器から前記機器情報をＣＥＣ規格に基づいて受信する手段を備えることを特徴とする請求項１に記載の接続機器表示名編集装置。
【請求項５】
前記表示名は、少なくとも、外部入力の切換動作に伴い表示される機器の名であることを特徴とする請求項１乃至請求項４のいずれかに記載の接続機器表示名編集装置。
【請求項６】
前記機器名表示手段は、外部入力の切換動作に伴って前記表示名を出力することを特徴とする請求項１乃至請求項４のいずれかに記載の接続機器表示名編集装置。
【請求項７】
放送波を受信するチューナー手段を更に備えることを特徴とする請求項１乃至請求項６のいずれかに記載の接続機器表示名編集装置。
【請求項８】
少なくとも一度接続された機器の名称を含む機器情報を複数記憶するステップと、
外部入力の切換をした際に表示される接続機器の名を、前記記憶した複数の前記機器の名称のリストを表示し、この表示されたリストに含まれる名称を選択的に利用して編集するステップと、
外部入力の切換を行うステップと、
前記外部入力の切換に伴い、前記編集された名を表示するステップとを有することを特徴とする接続機器表示名編集方法。